(57)【特許請求の範囲】
【請求項１】
自動販売機本体内に設けられた商品収納部と、商品収納部の少なくとも上下方向に配置された複数の商品収納コラムと、商品収納部の前面側を除いて商品収納部を上下に仕切る仕切部材と、商品収納部の前面側を少なくとも上下方向に移動可能に設けられ、任意の商品収納コラムの前端側に位置する商品を受容して所定の商品搬出位置に搬送する商品搬送機と、仕切部材によって仕切られた商品収納部のうち所定位置の商品収納部に設けられた加熱器と、加熱器によって加熱される空気を流通させる加熱器用送風機とを備えた自動販売機において、
前記加熱器が設けられた商品収納部の空気を、商品収納部の前面側を下方から上方に向かって流通するように循環させる上部側空気流通手段を備えた
ことを特徴とする自動販売機。
【請求項２】
前記加熱器が設けられた商品収納部の天井面、側面及び床面に沿って空気を流通させる上部空気流通路を備え、
加熱器が設けられた商品収納部の天井面前端側に位置する上部空気流通路に空気吸入口を設け、
加熱器が設けられた商品収納部の床面の上面前端側に位置する上部空気流通路に空気吐出口を設けた
ことを特徴とする請求項１記載の自動販売機。
【請求項３】
前記加熱器が設けられた商品収納部の床面の前端側に、幅方向に亘って上方に延びるように形成され、空気吐出口から吐出された空気を上方に案内する空気案内板を設けた
ことを特徴とする請求項２記載の自動販売機。
【請求項４】
前記空気吐出口の上部空気流通路内側に設けられ、上部空気流通路内を流通する空気を空気吐出口に案内する整流部材を備えた
ことを特徴とする請求項２または３記載の自動販売機。
【請求項５】
前記空気吐出口に設けられ、空気吐出口から吐出される空気を上方に流通させる送風機を備えた
ことを特徴とする請求項２乃至４の何れか１項記載の自動販売機。
【請求項６】
前記加熱器を、仕切部材によって仕切られた商品収納部のうち最上部に位置する商品収納部に設けた
ことを特徴とする請求項１乃至５の何れか１項記載の自動販売機。
【請求項７】
前記加熱器が設けられた商品収納部の下方に位置する商品収納部に設けられた冷却器と、
冷却器によって冷却される空気を流通させる冷却用送風機と、
冷却器が設けられた商品収納部の空気を、商品収納部の前面側を上方から下方に向かって流通するように循環させる下部側空気流通手段とを備えた
ことを特徴とする請求項１乃至６の何れか１項記載の自動販売機。
【請求項８】
前記冷却器が設けられた商品収納部の天井面の前端側に、幅方向に亘って下方に延びるように形成され、冷却器が設けられた商品収納部の天井面の前端側を流通する空気を下方に案内する空気案内板を設けた
ことを特徴とする請求項７記載の自動販売機。
【請求項９】
前記冷却器が設けられた商品収納部の床面、側面及び天井面に沿って空気を流通させる下部空気流通路を備え、
冷却器が設けられた商品収納部の床面前端側に位置する下部空気流通路に空気吸入口を設け、
冷却器が設けられた商品収納部の天井面前端側に位置する下部空気流通路に空気吐出口を下方に向くように設けた
ことを特徴とする請求項７または８記載の自動販売機。
【請求項１０】
前記商品収納コラムが載置される棚の前端側に、空気を上下に通過させる孔を設けた
ことを特徴とする請求項１乃至９の何れか１項記載の自動販売機。
【発明の詳細な説明】
【技術分野】
【０００１】
本発明は、商品収納部に収納された商品の一部を加熱し、その他の商品を異なる温度に保持し、それぞれの商品を販売するための自動販売機に関するものである。
【背景技術】
【０００２】
従来、この種の自動販売機としては、自動販売機本体内に設けられた商品収納部と、商品収納部の少なくとも上下方向に配置された複数の商品収納コラムと、商品収納部の前面側を除いて商品収納部を上下に仕切る仕切部材と、商品収納部の前面側を少なくとも上下方向に移動可能に設けられ、任意の商品収納コラムの前端側に位置する商品を受容して所定の商品搬出位置に搬送する商品搬送機と、仕切部材によって仕切られた商品収納部のうち所定位置の商品収納部に設けられた加熱器と、加熱器によって加熱される空気を流通させる加熱器用送風機とを備えたものが知られている（例えば、特許文献１参照）。
【特許文献１】特開２００５−１０８０６０号公報
【発明の開示】
【発明が解決しようとする課題】
【０００３】
従来の自動販売機では、加熱器が設けられた商品収納部の空間を集中的に加熱し、その他の空間を異なる温度に保持する際、商品収納部を上下に完全に仕切るために、加熱器が設けられた商品収納部を商品搬送機が移動可能なように、仕切部材の前端側を移動可能に設けられた可動仕切板を備えている。
【０００４】
この場合、商品収納部内の可動仕切板の機構が複雑となるため、製造コストが高くなる。また、自動販売機本体の前面側から商品収納部が視認可能なシースルー型の自動販売機の場合、利用者が斜め上方から商品収納部を見ると、可動仕切板に遮られて可動仕切板の下方に位置する商品が視認できなくなる。
【０００５】
本発明は前記問題点に鑑みてなされたものであり、その目的とするところは、商品収納部を完全に仕切ることなく、加熱器が設けられた商品収納部に収納された商品を集中的に加熱し、その他の商品を異なる温度に保持することのできる自動販売機を提供することにある。
【課題を解決するための手段】
【０００６】
本発明は前記目的を達成するために、自動販売機本体内に設けられた商品収納部と、商品収納部の少なくとも上下方向に配置された複数の商品収納コラムと、商品収納部の前面側を除いて商品収納部を上下に仕切る仕切部材と、商品収納部の前面側を少なくとも上下方向に移動可能に設けられ、任意の商品収納コラムの前端側に位置する商品を受容して所定の商品搬出位置に搬送する商品搬送機と、仕切部材によって仕切られた商品収納部のうち所定位置の商品収納部に設けられた加熱器と、加熱器によって加熱される空気を流通させる加熱器用送風機とを備えた自動販売機において、前記加熱器が設けられた商品収納部の空気を、商品収納部の前面側を下方から上方に向かって流通するように循環させる上部側空気流通手段を備えている。
【０００７】
これにより、加熱器が設けられた商品収納部の前面側において、空気が下方から上方に向かって流通することから、加熱器が設けられた商品収納部の加熱された空気の下方の商品収納部への流入が防止される。
【発明の効果】
【０００８】
本発明によれば、加熱器が設けられた商品収納部の前面側において、空気を下方から上方に向かって流通させることにより、加熱器が設けられた商品収納部の加熱された空気の下方の商品収納部への流入を防止することができるので、商品収納部を完全に上下に仕切ることなく、加熱器が設けられた商品収納部に収納された商品を集中的に加熱し、その他の商品を異なる温度に保持することが可能となる。
【発明を実施するための最良の形態】
【０００９】
図１乃至図３は本発明の第１実施形態を示すもので、図１は自動販売機の全体斜視図、図２は自動販売機の側面断面図、図３は自動販売機の要部側面断面図である。
【００１０】
この自動販売機は、前面に開口部を有する自動販売機本体１０と、自動販売機本体１０の開口部の幅方向一端側を開閉可能な外扉２０と、自動販売機本体１０の開口部の幅方向他端側を開閉可能な操作扉３０とを備えている。
【００１１】
自動販売機本体１０は、断熱壁１０ａによって形成され、内部を断熱壁によって左右に仕切ることにより、販売用の商品Ａを収納するための商品収納部１１と販売に関する機器を収納するための機器収納部が形成されている。
【００１２】
商品収納部１１には互いに上下方向に間隔をおいて複数の棚板１２が設けられ、各棚板１２には、商品Ａを前後方向に並べて収納するとともに、収納された商品Ａをベルトコンベア等の搬送機構によって前方に移動可能な商品収納コラム１３が幅方向に複数設けられている。また、棚板１２の前端側には、空気が上下方向に通過可能な孔１２ａが複数設けられている。
【００１３】
商品収納部１１の前面側には、上下方向及び幅方向に移動可能に設けられ、商品収納コラム１３に収納された商品Ａを所定の商品搬出位置に搬送するための商品搬送機としての商品バケット１４が設けられている。商品バケット１４は、選択された商品Ａが収納されている商品収納コラム１３の前まで移動して、商品収納コラム１３の搬送機構を駆動させて商品収納コラム１３の最前列に位置する商品Ａを受容し、受容した商品Ａを後述する商品取出口に搬送するようになっている。
【００１４】
また、商品収納部１１は、商品バケット１４が上下方向及び幅方向に移動する前面側を除いて、仕切部材１５によって上下に仕切られている。仕切部材１５は、断熱性を有する板状部材からなり、取り付け高さを変更可能に商品収納部１１に取り付けられるようになっている。
【００１５】
商品収納部１１は、仕切部材１５の上側の空間の商品収納コラム１３に収納された商品Ａを加熱するために設けられた上部側空気流通手段と、仕切部材１５の下側の空間の商品収納コラム１３に収納された商品Ａを冷却するために設けられた下部側空気流通手段を有している。
【００１６】
上部側空気流通手段は、商品収納部１１の天井面、商品収納部１１の背面及び仕切部材１５の上面に沿って設けられた上部側空気流通路１６と、商品収納部１１の天井面側の上部側空気流通路１６内に設けられ、商品収納部１１の天井面、商品収納部１１の背面、仕切部材１５の上面の順に空気を流通させるための加熱用送風機１６ａと、仕切部材１５の上面側の上部側空気流通路１６内に設けられ、上部側空気流通路１６を流通する空気を加熱するための加熱器としての電気ヒータ１６ｂとからなる。商品収納部１１の天井面の前端側には空気吸入口１６ｃが下方に向けて設けられ、仕切部材１５の上面の前端側には空気吐出口１６ｄが前面側の斜め上方に向けて設けられている。また、仕切部材１５の前端には、幅方向に亘って仕切部材１５の上面より上方に延びるように形成され、空気吐出口１６ｄから吐出された空気を上方に案内するための空気案内板１５ａが設けられている。
【００１７】
下部側空気流通手段は、商品収納部１１の底面及び商品収納部１１の背面に沿って設けられた下部側空気流通路１７と、商品収納部１１の底面側の下部側空気流通路１７内に設けられ、商品収納部１１の底面、商品収納部１１の背面の順に空気を流通させるための冷却用送風機１７ａと、商品収納部１１の底面側の下部側空気流通路１７内に設けられ、下部側空気流通路１７を流通する空気を冷却するための冷凍サイクルの蒸発器等の冷却器１７ｂとからなる。商品収納部１１の底面の前端側には空気吸入口１７ｃが設けられ、仕切部材１５の下側に位置する商品収納部１１の背面上部には空気吐出口１７ｄが前方に向けて設けられている。また、仕切部材１５の前端には、幅方向に亘って仕切部材１５の下面より下方に延びるように形成され空気吐出口１７ｄから吐出された空気を下方に案内するための空気案内板１５ｂが設けられている。
【００１８】
商品収納部１１の下方には機械室１１ａが設けられ、その内部に図示しない圧縮機や凝縮器等の冷凍機器が収納されている。
【００１９】
外扉２０は、自動販売機本体１０の幅方向一端側に回転自在に支持され、商品収納部１１の前面を開閉するようになっている。また、外扉２０は、ガラスや合成樹脂等からなる透明板２１と、透明板２１の外周部に設けられた枠部材２２とから構成され、外部から商品収納部１１が視認できるようになっている。
【００２０】
操作扉３０は、自動販売機本体１０の幅方向他端側に回転自在に支持され、機器収納部の前面を開閉するようになっている。また、操作扉３０の前面には、硬貨投入口３１、返却レバー３２、金額表示部３３、紙幣投入口３４、商品選択部３５、コイン返却口３６及び商品取出口３７が設けられている。
【００２１】
以上のように構成された自動販売機において、商品収納部１１の天井面の前端側に設けられた空気吸入口１６ｃから加熱用送風機１６ａによって上部側空気流通路１６に流入した空気は、商品収納部１１の天井面、商品収納部１１の背面、仕切部材１５の上面の順に上部側空気流通路１６を流通して電気ヒータ１６ｂによって加熱され、仕切部材１５の上面の前端側に設けられた空気吐出口１６ｄから上方に向かって吐出される。空気吐出口１６ｄから吐出された空気は、再び空気吸入口１６ｃから上部側空気流通路１６に流入して商品収納部１１の上部を循環することから、仕切部材１５の上側の商品収納部１１に位置する商品収納コラム１３に収納された商品Ａが加熱される。空気吐出口１６ｄから前面側の斜め上方に吐出される空気は、空気案内板１５ａに接触して上方に案内され、空気吸入口１６ｃから上部側空気流通路１６に吸引される。
【００２２】
また、商品収納部１１の底面の前端側に設けられた空気吸入口１７ｃから冷却用送風機１７ａによって下部側空気流通路１７に流入した空気は、冷却器１７ｂによって冷却された後に商品収納部１１の底面、商品収納部１１の背面の順に下部側空気流通路１７を流通して仕切部材１５の下側の商品収納部１１の背面上部に設けられた空気吐出口１７ｄから前方に向かって吐出される。空気吐出口１７ｄから吐出された空気は、空気案内板１５ｂに接触して下方に案内され、商品収納部１１の前面側や棚板１２に設けられた孔１２ａを介して下方に流通し、再び空気吸入口１７ｃから下部側空気流通路１７に流入して商品収納部１１の下部を循環することから、仕切部材１５の下方に位置する商品収納コラム１３に収納された商品Ａが冷却される。
【００２３】
このように本実施形態の自動販売機によれば、仕切部材１５の上側の商品収納部１１の空気を、商品収納部１１の前面側を下方から上方に向かって流通するように循環させる上部側空気流通手段を備えたので、仕切部材１５の上側の商品収納部１１の空気を下方から上方に向かって流通させることにより、仕切部材１５の上側の商品収納部１１の加熱された空気の仕切部材１５の下側の商品収納部１１への流入を防止することができ、商品収納部１１を完全に上下に仕切ることなく、仕切部材１５の上側の品収納部１１に収納された商品Ａを集中的に加熱することが可能となる。
【００２４】
また、前記商品収納部１１の天井面、商品収納部１１の背面及び仕切部材１５の上面に沿って空気を流通させる上部空気流通路１６を備え、商品収納部１１の天井面前端側に位置する上部空気流通路１６に空気吸入口１６ｃを設け、仕切部材１５の上面前端側に位置する上部空気流通路１６に空気吐出口１６ｄを設けたので、仕切部材１５の上面前端側から商品収納部の天井面前端側に向かって空気が流れるエアカーテンを形成することができ、仕切部材１５の上側の商品収納部１１への熱の進入を防ぐことが可能となる。
【００２５】
また、仕切部材１５の前端側に、幅方向に亘って上方に延びるように形成された空気案内板１５ａを設けたので、空気吐出口１６ｄから吐出された空気を上方に案内することができ、仕切部材１５の上側の商品収納部１１の空気の仕切部材１５の下側の商品収納部１１への侵入をより確実に防止することが可能となる。
【００２６】
また、仕切部材１５の下側の商品収納部１１の空気を、商品収納部１１の前面側を上方から下方に向かって流通するように循環させる下部側空気流通手段を備えたので、商品収納部１１の前面側において、仕切部材１５の上側の商品収納部１１の空気を仕切部材１５の上面から上方に流通させ、仕切部材１５の下側の商品収納部１１の空気を仕切部材１５の下面から下方に流通させることにより、仕切部材１５の上側の商品収納部１１の空気と仕切部材１５の下側の商品収納部１１の空気が混合することを防止することができ、商品収納部１１を上下に完全に仕切ることなく、仕切部材１５の下側の商品収納部１１に収納された商品Ａを集中的に冷却することが可能となる。
【００２７】
また、仕切部材１５の前端側に、幅方向に亘って下方に延びるように形成された空気案内板１５ｂを設けたので、空気吐出口１７ｄから前方に向かって吐出された空気を下方に案内することができ、仕切部材１５の下側の商品収納部１１の空気の仕切部材１５の上側の商品収納部１１への侵入をより確実に防止することが可能となる。
【００２８】
また、棚板１２の前端側に、空気を上下に通過させる孔１２ａを設けたので、商品収納部１１の前面側を上下に流れる空気を孔１２ａにも通過させることができ、商品収納部１１の前面側に空気を確実に流すことが可能となり、商品収納コラム１３の前端側の商品Ａを確実にかつ短時間で加熱することができる。
【００２９】
図４は本発明の第２実施形態を示すもので、自動販売機の要部側面断面図である。尚、前記実施形態と同様の構成部分には同じ符号を付して示す。
【００３０】
この自動販売機は、空気吐出口１６ｄの上部空気流通路１６内側に設けられた整流部材１６ｅと、下部側空気流通路１７の代わりに、商品収納部１１の底面、商品収納部１１の背面及び仕切部材１５の下面に沿って設けられた下部側空気流通路１８とを備えている。
【００３１】
整流部材１６ｅは、上部空気流通路１６の幅方向に亘って設けられ、前端側が上方に屈曲された板状部材からなり、上部空気流通路を前後に流通する空気を空気吐出口１６ｄに案内するようになっている。
【００３２】
下部側空気流通路１８は、仕切部材１５の下面の前端側に空気吐出口１８ｄが下方に向けて設けられている。
【００３３】
以上のように構成された自動販売機において、前記第１実施形態と同様に、仕切部材１５の上側の商品収納部１１の空気は、商品収納部１１の天井面、商品収納部１１の背面、仕切部材１５の上面、商品収納部１１の前面の順に循環し、仕切部材１５の上側の商品収納部１１に位置する商品収納コラム１３に収納された商品Ａが加熱される。また、仕切部材１５の下側の商品収納部１１の空気は、商品収納部１１の底面、商品収納部１１の背面、仕切部材１５の下面、商品収納部１１の前面の順に循環し、仕切部材１５の下側の商品収納部１１に位置する商品収納コラム１３に収納された商品Ａが冷却される。
【００３４】
空気吐出口１６ｄから吐出される空気は、上部空気流通路１６内において整流部材１６ｅによって上方に向くように案内されるため、流通抵抗が小さくなる。
【００３５】
商品収納部１１の下部側の空気は、仕切部材１５の下面の前端側の空気吐出口１８ｄから下方に向かって吐出される。
【００３６】
このように、本実施形態の自動販売機によれば、前記第１実施形態と同様に、仕切部材１５の上側の商品収納部１１の空気を、商品収納部１１の前面側を下方から上方に向かって流通するように循環させる上部側空気流通手段を備えたので、仕切部材１５の上側の商品収納部１１の空気を下方から上方に向かって流通させることにより、仕切部材１５の上側の商品収納部１１の加熱された空気の仕切部材１５の下側の商品収納部１１への流入を防止することができ、商品収納部１１を完全に上下に仕切ることなく、仕切部材１５の上側の商品収納部１１に収納された商品Ａを集中的に加熱することが可能となる。
【００３７】
また、前記第１実施形態と同様に、商品収納部１１の前面側において、仕切部材１５の上側の商品収納部１１の空気を仕切部材１５の上面から上方に流通させ、仕切部材１５の下側の商品収納部１１の空気を仕切部材１５の下面から下方に流通させることにより、仕切部材１５の上側の商品収納部１１の空気と仕切部材１５の下側の商品収納部１１の空気が混合することを防止することができ、商品収納部１１を上下に完全に仕切ることなく、仕切部材１５の下側の商品収納部１１に収納された商品Ａを集中的に冷却することが可能となる。
【００３８】
また、空気吐出口１６ｄの上部空気流通路１６内側に設けられた整流部材１６ｅを備えたので、整流部材１６ｅによって上部空気流通路１６を流通する空気を空気吐出口１６ｄに案内することができ、空気吐出口１６ｄから吐出される空気の流通抵抗を小さくすることができる。
【００３９】
また、商品収納部１１の底面、商品収納部１１の背面及び仕切部材１５の下面に沿って設けられた下部側空気流通路１８を備え、仕切部材１５の下面の前端側に空気吐出口１８ｄが下方に向けて設けられているので、仕切部材１５の下側の商品収納部１１の空気を仕切部材１５の下面の前端側から下方に向かって吐出することができ、仕切部材１５の上側の商品収納部１１の空気と仕切部材１５の下側の商品収納部１１の空気の混合をより確実に防止することが可能となる。
【００４０】
図５は本発明の第３実施形態を示すもので、自動販売機の要部側面断面図である。尚、前記実施形態と同様の構成部分には同じ符号を付して示す。
【００４１】
この自動販売機は、第１実施形態に示す空気案内板１５ａを有しておらず、第２実施形態に示す整流部材１６ｅが設けられている。
【００４２】
以上のように構成された自動販売機において、前記第１実施形態及び第２実施形態と同様に、仕切部材１５の上側の商品収納部１１の空気は、商品収納部１１の天井面、商品収納部１１の背面、仕切部材１５の上面、商品収納部１１の前面の順に循環し、仕切部材１５の上側の商品収納部１１に位置する商品収納コラム１３に収納された商品Ａが加熱される。また、仕切部材１５の下側の商品収納部１１の空気は、商品収納部１１の底面、商品収納部１１の背面、仕切部材１５の下面、商品収納部１１の前面の順に循環し、仕切部材１５の下側の商品収納部１１に位置する商品収納コラム１３に収納された商品Ａが冷却される。
【００４３】
このように、本実施形態の自動販売機によれば、前記第１実施形態及び第２実施形態と同様に、仕切部材１５の上側の商品収納部１１の空気を、商品収納部１１の前面側を下方から上方に向かって流通するように循環させる上部側空気流通手段を備えたので、仕切部材１５の上側の商品収納部１１の空気を下方から上方に向かって流通させることにより、仕切部材１５の上側の商品収納部１１の加熱された空気の仕切部材１５の下側の商品収納部１１への流入を防止することができ、商品収納部１１を完全に上下に仕切ることなく、仕切部材１５の上側の商品収納部１１に収納された商品Ａを集中的に加熱することが可能となる。
【００４４】
また、前記第１実施形態及び第２実施形態と同様に、商品収納部１１の前面側において、商品収納部１１の上部の空気を仕切部材１５の上面から上方に流通させ、商品収納部１１の下部の空気を仕切部材１５の下面から下方に流通させることにより、仕切部材１５の上側の商品収納部１１の空気と仕切部材１５の下側の商品収納部１１の空気が混合することを防止することができ、商品収納部１１を上下に完全に仕切ることなく、仕切部材１５の下側の商品収納部１１に収納された商品Ａを集中的に冷却することが可能となる。
【００４５】
図６は本発明の第４実施形態を示すもので、自動販売機の要部側面断面図である。尚、前記実施形態と同様の構成部分には同じ符号を付して示す。
【００４６】
この自動販売機は、第１実施形態に示す空気案内板１５ａと第２実施形態に示す整流部材１６ｅを有していないものである。
【００４７】
以上のように構成された自動販売機において、前記第１実施形態、第２実施形態及び第３実施形態と同様に、商品収納部１１の上部側の空気は、商品収納部１１の天井面、商品収納部１１の背面、仕切部材１５の上面、商品収納部１１の前面の順に循環し、仕切部材１５の上側の商品収納部１１に位置する商品収納コラム１３に収納された商品Ａが加熱される。また、仕切部材１５の下側の商品収納部１１の空気は、商品収納部１１の底面、商品収納部１１の背面、仕切部材１５の下面、商品収納部１１の前面の順に循環し、仕切部材１５の下側の商品収納部１１に位置する商品収納コラム１３に収納された商品Ａが冷却される。
【００４８】
このように、本実施形態の自動販売機によれば、前記第１実施形態、第２実施形態及び第３実施形態と同様に、仕切部材１５の上側の商品収納部１１の空気を、商品収納部１１の前面側を下方から上方に向かって流通するように循環させる上部側空気流通手段を備えたので、仕切部材１５の上側の商品収納部１１の空気を下方から上方に向かって流通させることにより、仕切部材１５の上側の商品収納部１１の加熱された空気の仕切部材１５の下側の商品収納部１１への流入を防止することができ、商品収納部１１を完全に上下に仕切ることなく、仕切部材１５の上側の商品収納部１１に収納された商品Ａを集中的に加熱することが可能となる。
【００４９】
また、前記第１実施形態、第２実施形態及び第３実施形態と同様に、商品収納部１１の前面側において、仕切部材１５の上側の商品収納部１１の空気を仕切部材１５の上面から上方に流通させ、仕切部材１５の下側の商品収納部１１の空気を仕切部材１５の下面から下方に流通させることにより、仕切部材１５の上側の商品収納部１１の空気と仕切部材１５の下側の商品収納部１１の空気が混合することを防止することができ、商品収納部１１を上下に完全に仕切ることなく、仕切部材１５の下側の商品収納部１１に収納された商品Ａを集中的に冷却することが可能となる。
【００５０】
図７は本発明の第５実施形態を示すもので、自動販売機の要部側面断面図である。尚、前記実施形態と同様の構成部分には同じ符号を付して示す。
【００５１】
この自動販売機は、第１実施形態に示す空気案内板１５ａを有しておらず、上方に向けて設けられた空気吐出口１６ｄに、上方に向かって空気を流通させるための送風機１６ｆが設けられている。
【００５２】
以上のように構成された自動販売機において、前記第１実施形態、第２実施形態、第３実施形態及び第４実施形態と同様に、商品収納部１１の上部側の空気は、商品収納部１１の天井面、商品収納部１１の背面、仕切部材１５の上面、商品収納部１１の前面の順に循環し、仕切部材１５の上側の商品収納部１１に位置する商品収納コラム１３に収納された商品Ａが加熱される。また、仕切部材１５の下側の商品収納部１１の空気は、商品収納部１１の底面、商品収納部１１の背面、仕切部材１５の下面、商品収納部１１の前面の順に循環し、仕切部材１５の下側の商品収納部１１に位置する商品収納コラム１３に収納された商品Ａが冷却される。
【００５３】
空気吐出口１６ｄから吐出される空気は、送風機１６ｆによって上方に向かって流通し、空気吸入口１６ｃに吸入される。
【００５４】
このように、本実施形態の自動販売機によれば、前記第１実施形態、第２実施形態、第３実施形態及び第４実施形態と同様に、仕切部材１５の上側の商品収納部１１の空気を、商品収納部１１の前面側を下方から上方に向かって流通するように循環させる上部側空気流通手段を備えたので、仕切部材１５の上側の商品収納部１１の空気を下方から上方に向かって流通させることにより、仕切部材１５の上側の商品収納部１１の加熱された空気の仕切部材１５の下側の商品収納部１１への流入を防止することができ、商品収納部１１を完全に上下に仕切ることなく、仕切部材１５の上側の商品収納部１１に収納された商品Ａを集中的に加熱することが可能となる。
【００５５】
また、前記第１実施形態、第２実施形態、第３実施形態及び第４実施形態と同様に、商品収納部１１の前面側において、商品収納部１１の上部の空気を仕切部材１５の上面から上方に流通させ、商品収納部１１の下部の空気を仕切部材１５の下面から下方に流通させることにより、仕切部材１５の上側の商品収納部１１の空気と仕切部材１５の下側の商品収納部１１の空気が混合することを防止することができ、商品収納部１１を上下に完全に仕切ることなく、仕切部材１５の下側の商品収納部１１に収納された商品Ａを集中的に冷却することが可能となる。
【００５６】
また、空気吐出口１６ｄに、上方に向かって空気を流通させるための送風機１６ｆを設けたので、空気吐出口１６ｄから吐出される空気を、送風機１６ｆによって確実に上方に流通させることができ、仕切部材１５の上側の商品収納部１１の空気と仕切部材１５の下側の商品収納部１１の空気の混合をより確実に防止することが可能となる。
【００５７】
尚、前記第１実施形態、第２実施形態、第３実施形態、第４実施形態及び第５実施形態では、商品収納部１１を仕切部材１５によって上下２つの空間に仕切り、仕切部材１５の上側の商品収納部１１を加熱、仕切部材１５の下側の商品収納部１１を冷却するようにしたものを示したが、商品収納部１１を仕切部材１５によって上下３つ以上の空間に仕切り、最上部に位置する商品収納部１１の空間のみを加熱し、その他の商品収納部１１の空間を冷却または常温に保持するようにしてもよい。また、加熱される商品収納部１１の空間の上方に、別の温度に保持する空間を設けてもよいが、その場合、上方に位置する空間は、冷却器による冷却を行わず、常温または加熱する空間とすることが望ましい。
【００５８】
また、前記第１実施形態、第２実施形態、第３実施形態、第４実施形態及び第５実施形態では、上部側空気流通路１６及び下部側空気流通路１７を、それぞれ商品収納部１１の背面側に沿って上下方向に延びるように形成しているが、それぞれ商品収納部１１の左右両側面の一方または両方に沿って上下に延びるように形成してもよい。この場合、上部側空気流通路及び下部側空気流通路は、商品バケット１４を上下方向及び幅方向に移動させるためのバケット移動機構部分を除く商品収納部１１の左右両側面の一方または両方に設ければよい。また、上部側空気流通路及び下部側空気流通路を、それぞれ商品Ａの搬出を妨げることのない商品収納部１１の前面側に設け、商品収納部１１の前面側において空気を循環させるようにしてもよい。
【図面の簡単な説明】
【００５９】
【図１】本発明の第１実施形態を示す自動販売機の全体斜視図
【図２】自動販売機の側面断面図
【図３】自動販売機の要部側面断面図
【図４】本発明の第２実施形態を示す自動販売機の要部側面断面図
【図５】本発明の第３実施形態を示す自動販売機の要部側面断面図
【図６】本発明の第４実施形態を示す自動販売機の要部側面断面図
【図７】本発明の第５実施形態を示す自動販売機の要部側面断面図
【符号の説明】
【００６０】
１０…自動販売機本体、１１…商品収納部、１２…棚、１２ａ…孔、１３…商品収納コラム、１４…バケット、１５…仕切部材、１５ａ…空気案内板、１５ｂ…空気案内板、１６…上部側空気流通路、１６ａ…加熱用送風機、１６ｂ…電気ヒータ、１６ｃ…空気吸入口、１６ｄ…空気吐出口、１６ｅ…整流部材、１６ｆ…送風機、１７…下部側空気流通路、１７ａ…冷却用送風機、１７ｂ…冷却器、１７ｃ…空気吸入口、１７ｄ…空気吐出口、１８…下部側空気流通路、１８ｄ…空気吐出口、Ａ…商品。
【図１】
0005106068.tif 000002
【図２】
0005106068.tif 000003
【図３】
0005106068.tif 000004
【図４】
0005106068.tif 000005
【図５】
0005106068.tif 000006
【図６】
0005106068.tif 000007
【図７】
0005106068.tif 000008